(57)【特許請求の範囲】
【請求項１】
中空部内に注水パイプを設けた掘削ロッドの下端に取り付けて使用し、以下のように構成したことを特徴とする杭穴充填物の採取装置。
(1) 縦方向に配置した筒状基体の上端に、前記掘削ロッドとの下端を連結し、あるいは前記掘削ロッドと着脱可能に連結できる連結部を形成する。
(2) 前記筒状基体の長さ方向の中間部に、連通穴を設けた隔離板を取りつけて、上部の採取取込室と下部の採取タンクに区分する。
(3) 前記筒状基体の側壁で、前記採取取込室の高さ位置に取込口を空けると共に、前記注水パイプの下縁を前記採取取込室内に臨ませる。
(4) 前記連通孔を跨いで、主塞ぎ具を上下動自在に配置し、前記主塞ぎ具は、前記連通孔を塞ぐことができる上栓体と下栓体とを連結して構成する。
(5) 前記主塞ぎ具の上端に、地上から前記注水パイプを通って配置された操作ロッドの下端を連結する。
【請求項２】
以下のように構成したことを特徴とする請求項１記載の杭穴充填物の採取装置。
(1) 主塞ぎ具の上栓体が、隔離板の連通穴を塞いだ状態で、取込口を塞ぐことができる補助塞ぎ具を操作ロッド又は前記主塞ぎ具に連結する。
(2) 前記補助塞ぎ具は、前記主塞ぎ具の昇降に連動して、前記主塞ぎ具の両栓材が前記連結穴を塞いでいない状態で、前記取込口の全部又は一部を開放する高さに位置するように、構成する。
【請求項３】
以下のように構成したことを特徴とする請求項１記載の杭穴充填物の採取装置。
(1)  掘削ロッドに下端に取り付ける筒状基体と、前記掘削ロッドから取り外した前記筒状基体を地上で受ける受け具を組み合わせて採取装置とする。
(2) 前記筒状基体に放射方向に突出する係止部を形成し、前記筒状基体の底部に内容物を取り出せる取出口を設ける。
(3) 前記受け具は、前記筒状基体の係止部に係止して、前記筒状の下降を制限する受け部と、前記受け部を所定位置に保持する支柱とから構成する。
【請求項４】
以下のように構成したことを特徴とする請求項２記載の杭穴充填物の採取装置。
(1)  筒状基体に、杭穴充填物を採取完了後に、主塞ぎ材具の操作ロッドに係止して、主塞ぎ具の相対的な下降を規制するストッパーを設けた。
【発明の詳細な説明】
【技術分野】
【０００１】
この発明は、杭穴を掘削して、杭穴内にソイルセメントセメンの層やセメントミルク層などの各層の杭穴充填物を試料として地上に取り出すために用いる杭穴充填物の採取装置に関する。
【背景技術】
【０００２】
杭穴充填物は、掘削時に使用した水や掘削泥土内にセメントミルクを注入して、杭穴残存物と置換してセメントミルク層を形成し、あるいは杭穴残存物と撹拌混合してソイルセメントを形成して、既製杭を埋設していた。また、昨今の高い支持力を臨む要求から、既製杭の効果と共に、既製杭と杭穴の間のセメントミルクの強化が求められていた。
【０００３】
従って、実際に杭穴内からサンプルを採取して、地上で固化させて強度試験をして強度を確認することも求められていた。特に支持地盤付近、即ち杭穴底付近（根固め部）の強度が重要となっており、杭穴底は地上から７０ｍ程度に達することもある。
【０００４】
よって、この場合、杭穴内に、杭穴内充填物の採取装置を下降させて採取していた。採取装置として、例えば、内窓を設けたホッパーに、外窓を設けた外枠を被せて、内窓・外窓を一致させて杭穴充填物をホッパー内に取込み、内窓・外窓をずらして、ホッパーを塞ぐ工夫がされていた（特許文献１）。
【先行技術文献】
【特許文献】
【０００５】
【特許文献１】特開２００１−７３３６０
【発明の概要】
【発明が解決しようとする課題】
【０００６】
前記従来の採取装置の場合、途中で杭穴充填物を誤って採取するおそれもなく、採取後も確実にホッパーを略密封して、所望の杭穴充填物を地上まで引き上げることができた。しかし、採取装置が粘土質の地層で杭穴壁や杭穴内の泥土と触れた場合には、外窓の縁に土などが付着するおそれがあり、その場合に、その土をホッパー内に取り込み、そのまま固化されるおそれが生じる問題があった。
【課題を解決するための手段】
【０００７】
この発明では、杭穴充填物を取り入れ取入口を有する採取取込室に液体などを噴射して、その後に、杭穴充填物を採取タンクに収容するので、前記問題点を解決した。
【０００９】
即ちこの発明は、中空部内に注水パイプを設けた掘削ロッドの下端に取り付けて使用し、以下のように構成したことを特徴とする杭穴充填物の採取装置である。
(1) 縦方向に配置した筒状基体の上端に、前記掘削ロッドとの下端を連結し、あるいは前記掘削ロッドと着脱可能に連結できる連結部を形成する。
(2) 前記筒状基体の長さ方向の中間部に、連通穴を設けた隔離板を取りつけて、上部の採取取込室と下部の採取タンクに区分する。
(3) 前記筒状基体の側壁で、前記採取取込室の高さ位置に取込口を空けると共に、前記注水パイプの下縁を前記採取取込室内に臨ませる。
(4) 前記連通孔を跨いで、主塞ぎ具を上下動自在に配置し、前記主塞ぎ具は、前記連通孔を塞ぐことができる上栓体と下栓体とを連結して構成する。
(5) 前記主塞ぎ具の上端に、地上から前記注水パイプを通って配置された操作ロッドの下端を連結する。
【００１０】
また、前記において、以下のように構成したことを特徴とする杭穴充填物の採取装置である。 
(1) 主塞ぎ具の上栓体が、隔離板の連通穴を塞いだ状態で、取込口を塞ぐことができる補助塞ぎ具を操作ロッド又は前記主塞ぎ具に連結する。 
(2) 前記補助塞ぎ具は、前記主塞ぎ具の昇降に連動して、前記主塞ぎ具の両栓材が前記連結穴を塞いでいない状態で、前記取込口の全部又は一部を開放する高さに位置するように、構成する。
【００１１】
また、前記において、以下のように構成したことを特徴とする杭穴充填物の採取装置である。
(1)  掘削ロッドに下端に取り付ける筒状基体と、前記掘削ロッドから取り外した前記筒状基体を地上で受ける受け具を組み合わせて採取装置とする。
(2) 前記筒状基体に放射方向に突出する係止部を形成し、前記筒状基体の底部に内容物を取り出せる取出口を設ける。
(3) 前記受け具は、前記筒状基体の係止部に係止して、前記筒状の下降を制限する受け部と、前記受け部を所定位置に保持する支柱とから構成する。
さらに、前記において、以下のように構成したことを特徴とする杭穴充填物の採取装置である。
(1)  筒状基体に、杭穴充填物を採取完了後に、主塞ぎ材具の操作ロッドに係止して、主塞ぎ具の相対的な下降を規制するストッパーを設けた。
【発明の効果】
【００１３】
この発明は、採取タンクを閉じた状態で、取込口に臨む採取取込室内に液体を噴射できるので、万一取込口の縁に粘土などが付着した場合であってもこれを除去でき、採取タンク内に、取り込むおそれは無い。従って、所望深さの杭穴充填物を確実に地上に採取できる効果があり、杭穴充填物の固化強度を正確に推定できる。
【図面の簡単な説明】
【００１４】
【図１】この発明の実施形態１の採取装置で、（ａ）〜（ｄ）は採取方法を説明する概略した縦断面図である。
【図２】この発明の実施形態１の採取装置で、採取した杭穴充填物を取り出している状態の概略した縦断面図である。
【図３】この発明の実施態様２の採取装置で、（ａ）〜（ｃ）は採取方法を説明する概略した縦断面図である。
【図４】この発明の実施態様３の採取装置で、（ａ）は筒状基体の縦断面図、（ｃ）は主塞ぎ具の正面図である。
【図５】（ａ）〜（ｃ）は、この発明の実施態様３の採取装置を使った採取方法を説明する正面図である。
【図６】この発明の実施態様４の採取装置で、（ａ）は採取前の正面図、（ｂ）は採取前の側面図、（ｃ）は採取中の正面図、（ｄ）（ｅ）（ｆ）は、それぞれ（ａ）（ｂ）（ｃ）の筒状基体のみを破折した正面図である。
【図７】同じく実態態様４の採取装置で、（ａ）は採取完了の正面図、（ｂ）は地上で未固結使用を取り出している状態の正面図、（ｃ）（ｄ）は、それぞれ（ａ）（ｂ）の筒状基体を破折した正面図である。
【図８】同じく実施態様４の採取装置で、保持具を組み合わせた状態を表し、（ａ）は斜視図、（ｂ）は載置状態の正面図、（ｂ）取出口を開いた状態の正面図である。
【図９】同じく実施態様４の他の採取装置で筒状基体を破折した正面図で、（ａ）実施態様４の採取装置で採取前、（ｂ）は他の実施態様で採取前、（ｃ）は他の実施態様で採取完了後を表す。
【図１０】同じく実施態様４の他の採取装置で筒状基体を破折した正面図で、（ａ）は採取前、（ｂ）は他採取途中、（ｃ）は採取完了後を表す。
【発明を実施するための形態】
【００１５】
１．実施形態１の採取装置４０の構成
【００１６】
（１）  筒状基体１の中間部内面に、筒状基体１の内部を上下に仕切る隔離板６を固定して、隔離板６の上方を採取取込室１１とし、下方を採取タンク１２とする。隔離板６の中央部に、採取取込室１１と採取タンク１２とを連通させる連通孔７を形成してある。連通孔７の周面は、隔離板６の下面９側が上面８側より大径となるように、下方に向けて斜面が形成されている。
【００１７】
隔離板６から所定高さＨ１上方で、筒状基体１の側壁に開口を形成して取込口１３、１３とする。取込口１３は円周方向で等間隔に４つ設け、筒状基体１の内外を連通する。
【００１８】
筒状基体１の上端部に上蓋５をして、上蓋５上に、掘削ロッド５１の凹連結部（連結部）５２と連結できる凸連結部（被連結部）２を形成する。凹連結部５２には、セメントミルクや掘削液（水など）を地上から掘削ロッド５１の下端に供給するための注水パイプ５３が形成され、凸連結部２内には、注水パイプ５３と連結して連通できるパイプ部３を配置する。パイプ部３の下端４は取込口１３の上方又は取込口１３付近に位置する。
【００１９】
筒状基体１の底板１５の中央に開口を形成して、採取した杭穴充填物の取出口１６として、底板１５の下面に、底板１５に着脱可能で、かつ取出口１６を塞ぐ下蓋板１８を有する下端突起１７を取り付ける。下端突起１７は下蓋板１８の下面に突起部１９を固定して構成する。
【００２０】
（２）  隔離板６の上方に、隔離板６の上面８側から連通孔７を塞ぐことができる上栓体２２を配置する。隔離板６の下方に、隔離板６の下面９側から連通孔７を塞ぐことができる下栓体２３を配置する。上栓体２２の下面と下栓体２３の上面とを長さＬ１の連結棒１４で連結して、主塞ぎ具２１とする。
【００２１】
地上から、注水パイプ５３、パイプ部３に操作ロッド３１を挿通して、操作ロッド３１の下端を主塞ぎ具２１の上栓体２２の上面に連結する。
【００２２】
前記筒状基体１は、上栓体２２が連通孔７を塞いだ位置から、取込口１３の直下位置までの間で、内小径部（肉厚部）２６が形成され、この内小径部２６では、筒状基体１の内壁に上栓体２２の外周面が密着して、取込口１３、１３が開放されても、採取取込室１１と採取タンク１２とは連通せずに、採取タンク１２は、略密封される。
【００２３】
また、下栓体２３は上面側が小径で下面側が大径に形成され、連通孔７の周面に密着できるように、周面は上方に向けた斜面が形成される。
【００２４】
（３）  主塞ぎ具２１の上方で、筒状基体１内で摺動可能に塞ぎ筒（補助塞ぎ具）２８を内装する。上栓体２２の下面から塞ぎ筒２８の下面までの距離をＬ２とし、塞ぎ筒２８の高さをＬ３とする。塞ぎ筒２８は、主塞ぎ具２１の上栓体２２が連通孔７を塞いだ状態で、塞ぎ筒２８が取込口１３、１３を塞ぐような位置に配置されている。さらに、塞ぎ筒２８は、上栓体２２及び下栓体２３のいずれも連通孔７を塞がず、連通孔７が開放された状態で、取込口１３、１３の一部又は全部を開放しているように配置される。この位置関係を維持できるように、塞ぎ筒２８は操作ロッド３１に固定される。塞ぎ筒２８と操作ロッド３１との固定は、例えば、塞ぎ筒２８に直径方向の棒材２９、２９を固定し、その棒材２９と操作ロッド３１とを固定する（図１（ａ））。
【００２５】
（４）  以上のようにして、採取装置４０を構成する（図１）。
【００２６】
（５）  他の実施形態
前記において、掘削ロッド５１の凹連結部５２に連結できるように凸連結部２を形成したが、掘削ロッド５１に直接に筒状基体１を固定することもできる（図示していない）。 
また、前記において、パイプ部３の下端４は下方に向けて形成したが、横方向に、例えば取込口１３の縁、特に上側の縁に向けて形成することもできる（図示していない）。また、パイプ部３の下端部を分岐させて、下端４を多数形成することもできる（図示していない）。
【００２７】
２．実施形態１の杭穴充填物の採取方法（採取装置４０の使用）
【００２８】
（１）  所定の杭穴の掘削が完了して、杭穴内にセメントミルクを注入して、杭穴の下端部にセメントミルク層、その上方にソイルセメント層が形成されている（図示していない）。 
続いて、掘削ロッド５１の凹連結部５２に、採取装置４０の凸連結部２を連結して、杭穴の採取位置（ここでは杭穴底付近）まで、採取装置４０を下降させる。この際、主塞ぎ具２１の上栓体２２の下面が連通孔７を塞ぎ、かつ塞ぎ筒２８が取込口１３、１３を塞いでいる（図１（ａ））。 
この状態で、取込口１３、１３が塞ぎ筒２８で塞がれているので、取込口１３、１３から杭穴充填物が、筒状基体１内に取り込まれることはない。なお、この場合、杭穴充填物内に粘土質の塊が撹拌されずに残っている場合、粘土質の杭穴壁に接触した場合などに、まれに取込口１３、１３の縁に、その粘土分が付着する場合もある。
【００２９】
（２）  杭穴内で、採取予定の深さあるいはその近傍の深さ（通常は採取予定の深さの若干上方）で、操作ロッド３１を上昇させて、主塞ぎ具２１の上栓体２２を内小径部２６の上端部付近に位置させる（図１（ｂ））。この状態で、杭穴充填物が取込口１３、１３を通過して、採取取込室１１内に入っているが、上栓体２２が内小径部２６の周面に密着しているので、採取タンク１２は空の状態である。 
この状態で、パイプ部３の下端４から取込口１３の縁に向けて、高圧の洗浄水を噴射して、取込口１３の縁付近の泥土の付着を洗い流す。なお、洗浄水は、採取予定の杭穴充填物のセメントミルク濃度（ソイルセメントのセメントミルク成分の濃度）に相当する濃度のセメントミルクが望ましいが、杭穴内での固化強度に影響を与えない程度で、水、泥水、ソイルセメントなどを使用することもできる。
【００３０】
（３）  この取込口６が開放された状態で（図１（ｂ））、掘削ロッド５１を回転して、採取装置４０を回転して、噴射した洗浄水の影響を少なくするように、周りの杭穴充填物となじませる。従って、この状態で、採取予定深さの杭穴充填物と、採取取込室１１内の杭穴充填物がほぼ同じ内容となっている。
【００３１】
（４）  続いて、採取装置４０が採取位置にある場合にはその位置で、採取装置が離れている場合には採取位置まで移動して、再度、操作ロッド３１を上昇して、主塞ぎ具２１の上栓体２２を内小径部２６の上方に位置させて、上栓体２２の周縁と筒状基体１の内壁との間に隙間を形成し、さらに上栓体２２を取込口１３、１３付近からさらに上方に移動させて（図１（ｃ））、杭穴充填部物を、取込口１３、１３、内小径部２６、連通孔７を通過させて、採取タンク１２内に取り込む。
【００３２】
（５）  所定時間経過して、タンク内に必要量の杭穴充填物を収容したならば、さらに操作ロッド３１を上昇させて、主塞ぎ具２１の下栓体２３を、連通孔７を下方から連通孔７に嵌挿して連通孔７を塞ぐ（図１（ｄ））。
【００３３】
（６）  続いて、主塞ぎ具２１の下栓体２３で連通孔７を塞いだ状態を維持して（図１（ｄ））、掘削ロッド５１と共に採取装置４０を地上に引き上げる。地上で、筒状基体１から下端突起１７を外せば、筒状基体１の底板１５の取出口１６から採取タンク１２内の杭穴充填物を取り出す（図２）。取り出した杭穴充填物は、テストピース作成用の型枠に入れて養生して固化させる（図示していない）。
【００３４】
３．実施形態２の採取装置４０及び採取方法
【００３５】
（１）  前記実施態様１において、塞ぎ筒（補助塞ぎ具）２８を使用したが、この実施態様２は、塞ぎ筒２８を省略した実施態様で、内小径部２６も省略して、上栓体２２の外周と筒状基体１の内面とに隙間を形成してある（図３（ａ））。他の構成は、前記実施態様と同じである。以上のようにして、採取装置４０を構成する（図３）。
【００３６】
（２）  次に、この採取装置４０を使った採取方法について説明する。前記実施態様と同様に、掘削ロッド５１の凹連結部５２に、採取装置４０の凸連結部２を連結して、杭穴の採取位置（ここでは杭穴底付近）まで、採取装置４０を下降させる。この際、主塞ぎ具２１の上栓体２２の下面が連通孔７を塞でいるので（図３（ａ））、取込口１３、１３から杭穴充填物が、筒状基体１内に取り込まれても、連通孔７から採取タンク１２内に入ることはない。
【００３７】
採取装置４０が引き続きこの状態にあるように維持して、採取深さ付近まで、採取装置を下降させる（図３（ａ））。この位置で、パイプ部３の下端４から取込口１３、１３の縁に向けて、高圧の洗浄水を噴射して、取込口１３、１３の縁付近の泥土や他の深さで付着したソイルセメントなどの付着物を洗い流す。
【００３８】
この状態で（図３（ａ））、必要に応じて掘削ロッド５１を回転・昇降などをして、採取装置４０を回転・昇降などをし、噴射した洗浄水の影響を少なくするように、杭穴内の周りの杭穴充填物となじませることもできる。従って、この状態で、採取予定深さの杭穴充填物と、採取取込室内の杭穴充填物がほぼ同じ内容となっていることが望ましい。また、上記洗浄の工程を、採取予定の位置（深さ）以外の位置で行うこともでき、この場合には洗浄の工程を終了した後に、採取予定の位置に移動して、以下の工程を行う。
【００３９】
続いて、所定の採取位置で、操作ロッド５１を上昇して、主塞ぎ具２１の上栓体２２を上方に位置させて、上栓体２２の周縁と筒状基体１の内壁との間に隙間を形成し（図３（ｂ））、杭穴充填部物を、取込口１３、１３、連通孔７を通過させて、採取タンク１２内に取り込む。所定時間経過して、採取タンク１２内に必要量の杭穴充填物を収容したならば、さらに操作ロッド３１を上昇させて、主塞ぎ具２１の下栓体２３を、連通孔７の下方から連通孔７に嵌挿して連通孔７を塞ぐ（図３（ｃ））。
【００４０】
続いて、主塞ぎ具２１の下栓体２３で連通孔７を塞いだ状態を維持して（図３（ｃ））、掘削ロッド５１と共に採取装置４０を地上に引き上げる。地上で、筒状基体１から下端突起１７を外せば、筒状基体１の底板１５の取出口１６から採取タンク１２内の杭穴充填物を取り出すことができる（図２参照）。
【００４１】
４．実施形態３の採取装置４０及び採取方法
【００４２】
（１）  この実施態様は、上記実施形態２の塞ぎ筒２８を使用しない実施形態で、先端突起１７の下蓋板１８の上面に案内筒３３を突設して、案内筒３３を底板１５の取出口１６に嵌挿した実施形態である。案内筒３３には上縁からＵ字状の切り欠き３４が形成されている。また、隔離板６の連通孔７は、斜面に代えて上下縁をテーパー状に形成する。 
また、主塞ぎ具２１の上栓体２２は下部を細径としたテーパー状に形成し、下栓体２３の上部を細径としたテーパー状に形成する。また、主塞ぎ具２１は上栓体２２の上面に突起部２５を形成し、突起部２５に操作ロッド３１の下端を回転自在に連結する（図４（ｂ））。以上のようにして、採取装置４０を構成する（図５（ａ））。
【００４３】
（２）  次に、この採取装置４０を使った採取方法については、採取した杭穴充填物を地上で取り出す以外の工程は、前記実施態様２の場合と同じである。
【００４４】
即ち、前記実施態様１と同様に、掘削ロッド５１の凹連結部５２に、採取装置４０の凸連結部２を連結して、杭穴の採取位置まで、採取装置４０を下降させる。この際、主塞ぎ具２１の上栓体２２の下面が連通孔７を塞でいるので（図５（ａ））、取込口１３、１３から杭穴充填物が、筒状基体１内に取り込まれても、連通孔７から採取タンク１２内に入ることはない。
【００４５】
採取装置４０が引き続きこの状態にあるように維持して、採取深さ付近まで、採取装置を下降させる（図５（ａ））。この位置で、パイプ部３の下端４から取込口１３、１３の縁に向けて、高圧の洗浄水を噴射して、取込口１３、１３の縁付近の泥土や他の深さで付着したソイルセメントなどの付着物を洗い流す。この状態で（図５（ａ））、必要に応じて掘削ロッド５１を回転・昇降などをして、採取装置４０を回転・昇降などをし、噴射した洗浄水の影響を少なくするように、杭穴内の周りの杭穴充填物となじませることもできる。従って、この状態で、採取予定深さの杭穴充填物と、採取取込室１１内の杭穴充填物がほぼ同じ内容となっていることが望ましい。
【００４６】
続いて、必要ならば採取装置４０を移動して、所定の採取位置で、操作ロッド５１を上昇して、主塞ぎ具２１の上栓体２２を上方に位置させて、上栓体２２の周縁と筒状基体１の内壁との間に隙間を形成し（図５（ｂ））、杭穴充填部物を、取込口１３、１３、連通孔７を通過させて、採取タンク１２内に取り込む。所定時間経過して、採取タンク１２内に必要量の杭穴充填物を収容したならば、さらに操作ロッド３１を上昇させて、主塞ぎ具２１の下栓体を、連通孔７の下方から連通孔７に嵌挿して連通孔７を塞ぐ（図５（ｃ）鎖線図示１７）。
【００４７】
続いて、主塞ぎ具２１の下栓体２３で連通孔７を塞いだ状態を維持して（図５（ｃ）鎖線図示１７）、掘削ロッド５１と共に採取装置４０を地上に引き上げる。地上で、筒状基体１から下端突起１７を外して下降させれば、筒状基体１の底板１５の取出口１６に案内筒３３が嵌挿された状態で、ゆっくりと下端突起１７が下降する。また、採取タンク１２内の杭穴充填物は、案内筒３３の切り欠き３４から流れ出るので、予め切り欠き３４の位置に併せて、各種容器を設置すれば、漏らすことなく杭穴充填物を取り出すことができる（図５（ｃ）実線図示１７）。
【００４８】
５．実施形態４の採取装置４０及び採取方法
【００４９】
（１）  この実施態様は、塞ぎ筒２８を使用しない実施形態（実施態様２、３と同様）で、上記実施形態３でさらに、筒状基体１に係止部３６を形成して採取装置４０とすると共に、掘削ロッドから取り外した筒状基体を地上で保持するための保持具を組み合わせて採取装置４０を構成するものである。
【００５０】
（２）  筒状基体１の上蓋５を、筒状基体１より大径に形成して、筒状基体１の側面より放射状に突出する形状として、上蓋５の外周部を係止部３６とする（図６）。また、筒状基体１の上蓋５の下面内周側に、筒状基体１に主塞ぎ具２１を収容した際に、主塞ぎ具２１の上栓体２２を収容する凹部３８を形成する（図６（ｄ）〜（ｆ）、図４（ａ））。
【００５１】
また、実施態様３と同様に、先端突起１７の下蓋板１８の上面に案内筒３３を突設して、案内筒３３を底板１５の取出口１６に嵌挿した実施形態である。案内筒３３には上縁からＵ字状の切り欠き３４が形成されている。また、隔離板６の連通孔７は、斜面に代えて上下縁をテーパー状に形成する。
【００５２】
また、パイプ部３の上端に細径部３ａを形成し、細径部３ａの上方（凸連結部２の上面付近）にストッパー５７を取り付ける。ストッパー５７は、その係止縁が細径部３ａを横切る位置と細き径部３ａを開放するする位置との２位置をとり、細径部３ａを横切る位置側に付勢されている（図示していない）。なお、付勢（ばねなど）は省略して、手動で２位置を取れるように操作することもできる。
【００５３】
また、主塞ぎ具２１の上栓体２２は下部を細径としたテーパー状に形成し、下栓体２３の上部を細径としたテーパー状に形成する。また、主塞ぎ具２１は上栓体２２の上面に突起部２５を形成し、突起部２５に操作ロッド３１の下端を回転自在に連結する（図４（ｂ））。
【００５４】
また、主塞ぎ具２１の操作ロッド３１で、昇降した際に細径部３ａが位置する範囲を含むような長さ（高さ）で、大径部３１ａを形成し、大径部３１ａの下端を係止縁３２とする。係止縁３２はストッパー５７と係止して、筒状本体１に対して主塞ぎ具２１が下降するような動きを規制できる。
他の構造を実施態様１〜３と同様に形成した、採取装置４０を構成する（図５（ａ））。
【００５５】
（３）  また、この採取装置４０は、保持具５０を使用する。
保持具５０は、ベース板４３上に、中央部にスペース４９を空けて、３つの支柱４４、４４を立設して、支柱４４、４４の上端部でスペース４９側に、リング状の受けリング（受け部）４５を固定する。前記スペース４９は、筒状基体１を縦に収容できる広さを有し、受けリング４５の外周面を各支柱４４、４４の内面に固定する。受けリング４５の内径は筒状基体１が通過できるような大きさに形成し、外径は筒状基体１の上蓋５の係止部３６（外周部）の外径より大きく形成する。また、ベース板４３から受けリング４５の上縁４６までは高さＨで形成され、支柱４４の上縁と同一高さに形成されている。また、支柱の中間高さに、受けリング４５と同じ内径外径の中間リング４７を固定する。
【００５６】
（４）  この採取装置４０では、前記各実施態様２〜３と同様に使用する。まず、所定深さまで採取装置４０を沈める（図６（ａ）（ｂ）（ｄ）（ｅ））。この際、主塞ぎ具２１の操作ロッド３１の太径部３１ａの上端部が、パイプ部３の細径部３ａに位置している（図６（ｄ）（ｅ））。この位置で、採取位置（深さ）で、操作ロッド３１を上昇させ、主塞ぎ具２１の上栓体２２を上方に位置させて、上栓体２２の周縁と筒状基体１の内壁との間に隙間を形成する（図６（ｃ）（ｆ）。この状態で、主塞ぎ具２１の操作ロッド３１の太径部３１ａの中間部が、パイプ部３の細径部３ａに位置している（図６（ｃ）（ｆ））図３（ｂ）参照）。
【００５７】
また、杭穴充填部物を、取込口１３、１３、連通孔７を通過させて、採取タンク１２内に取り込む。所定時間経過して、採取タンク１２内に必要量の杭穴充填物を収容したならば、さらに操作ロッド３１を上昇させて、主塞ぎ具２１の下栓体２３を、連通孔７の下方から連通孔７に嵌挿して連通孔７を塞ぐ（図７（ａ）（ｃ）。図３（ｃ）参照）。連通孔７が塞がれた状態で、主塞ぎ具２１の操作ロッド３１の太径部３１ａが、パイプ部３の細径部３ａの上方に突出して、ストッパー５７の係止縁が太径部３１ａの係止縁３２を係止する。
続いて、主塞ぎ具２１の下栓体２３で連通孔７を塞いだ状態を維持して、掘削ロッド５１と共に採取装置４０を地上に引き上げる。この際、ストッパー５７の係止縁が太径部３１ａの係止縁３２を係止するので、主塞ぎ具２１が筒状基体１に対して下降することが無いので、採取タンク１２の密封が維持され、地上５５までに途中の杭穴充填物が採取タンク１２内に混入することを防止できる。
【００５８】
（５）  地上５５で、保持具５０のスペース４９に上方から採取装置４０の筒状基体１を入れ、筒状基体１の上蓋５の係止部３６の下面３７を、保持具５０の受けリング４５の上縁４６及び支柱４４、４４の上縁に係止して、保持具５０に採取装置４０を載置する。この状態でも、ストッパー５７の係止縁が太径部３１ａの係止縁３２を係止するので、主塞ぎ具２１が筒状基体１に対して下降することが無いので、不慮に採取タンク１２が開くことを防止できる。また、この状態で、掘削ロッド５１を凸連結部２から取り外すが（図７（ａ）（ｃ））、この状態で、保持具５０は採取装置４０に載置されたまま移動できないので、取り外した掘削ロッド５１は他の作業に使用することができる。
【００５９】
（６）  保持具５０に採取装置４０を載置する前又は後に、ベース板４３上で、採取装置４０の直下に、杭穴充填物（未固結試料）の採取容器４８を置く。
続いて、採取装置４０の筒状基体１から下端突起１７を外せば、筒状基体１の底板１５の取出口１６から採取タンク１２内の杭穴充填物を採取容器４８に取り出すことができる（図８（ａ）（ｃ）、図７（ｂ））。この際、下端突起１７を下方に取り出して、杭穴充填物の取り出し作業を行うので、この作業に支障が無いように充分なスペースを確保できるように、保持具５０の高さＨが設定されている。
【００６０】
（７）  前記実施態様で、上蓋５を大径に形成して上蓋５の外周側を係止部３６としたが、別途筒状基体１の外周面に突起物を放射状に突設して、係止部３６とすることもできる（図示していない）。
また、前記実施態様で保持具５０の構造は、採取装置４０を高さＨで保持できる受けリング４５の機能があれば、他の構造とすることもできる（図示していない）。
【００６１】
（８）  前記実施態様において、操作ロッド３１に太径部３１ａを設けたので、操作ロッド３１の他の部分（太径部３１ａより小径）が、パイプ部３の細径部３ａに位置する際に、隙間が生じる場合もある（図９（ａ））。この場合、採取タンク１２を開く前（採取装置４０を所定深さまで沈めている最中）に取入口１３からパイプ部３を杭穴充填物が矢示５８、５８のように、小径部３ａから上方（掘削ロッド５１の中空部内）に移動することも考えられる。
これを防止するために、操作ロッド３１の太径部３１ａの下方位置で、パイプ部３の下端部の位置（太径部３１ａより細い径）にパイプ部３を塞ぐ止水材（円柱状）５６を取り付けることもできる（図９（ｂ））。止水材５６は、操作ロッド３１の上昇に従ってパイプ部３内を上昇動する（図９（ｃ））。
【００６２】
また、操作ロッド３１で太径部３１の下方に、止水材５６の高さと同程度の高さを有する下太径部３１ｂを形成することもできる（図１０）。この場合、止水材（円柱状）５６はパイプ部３の上端（小径部３ａを直下から塞ぐ位置）に位置して、この位置を保持して、止水材５６内を操作ロッド３１が摺動する（図１０（ａ）〜（ｃ））。
【符号の説明】
【００６３】
１    筒状基体
２    凸連結部
３    パイプ部
３ａ  パイプ部の小径部
４    パイプ部の下端
５    上蓋
６    隔離板
７    連通孔
８    隔離板の上面
９    隔離板の下面
１１  採取取込室
１２  採取タンク
１３  取入口
１５  底板
１６  取出口
１７  下端突起
１８  下蓋板（下端突起）
１９  突起部（下端突起）
２１  主塞ぎ具
２２  上栓体（主塞ぎ具）
２３  下栓体（主塞ぎ具）
２４  連結棒（主塞ぎ具）
２５  突起部（主塞ぎ具）
２６  内小径部（筒状基体）
２８  塞ぎ筒（補助塞ぎ具）
２９  棒材
３１  操作ロッド
３１ａ  操作ロッドの大径部
３２  操作ロッドの係止縁
３３  案内筒
３４  切り欠き（案内筒）
３６  係止部
３７  係止部の下面
４０  採取装置
４３  ベース板
４４  支柱
４５  受けリング（係止部）
４６  受けリングの上縁
４８  採取容器
５０  保持具
５１  掘削ロッド
５２  凹連結部
５３  注水パイプ
５５  地上
５６  止水材
５７  ストッパー
【図１】
0005996922.tif 000002
【図２】
0005996922.tif 000003
【図３】
0005996922.tif 000004
【図４】
0005996922.tif 000005
【図５】
0005996922.tif 000006
【図６】
0005996922.tif 000007
【図７】
0005996922.tif 000008
【図８】
0005996922.tif 000009
【図９】
0005996922.tif 000010
【図１０】
0005996922.tif 000011